(57)【要約】【課題】搭載する物品の大きさ、外形状等に対応させて物品載置台への支柱の取り付け位置を可変とし、コストダウン、取り付けなどの作業量の削減を図れる物品運搬装置を提供する。【解決手段】物品載置台１０の上面四隅に取付溝１２をＬ字状に形成し、その一縁に沿うようにレール状の取付部材２０を突設し、これに対して固定部材２１をスライド可能に嵌合させる。固定部材２１は、取付部材２０と直接に嵌合させる下スライド部材２２と、これに嵌合させる上スライド部材２３とからなり、両スライド部材２２、２３をスライドさせて固定部材２１の位置をＸ−Ｙ方向で可変させ、物品載置台１０上の物品に対応させる。【選択図】　　　　図７
2004142783.tif 000002
【特許請求の範囲】
【請求項１】
物品載置台と、該物品載置台に着脱可能に取り付ける複数の支柱とを有する物品運搬装置において、上記物品載置台の面上に設ける物品固定手段が、上記物品載置台の面上に固設するガイドと、該ガイドにスライド自在に嵌合させる固定部材とからなることを特徴とする物品運搬装置。
【請求項２】
請求項１の物品運搬装置において、上記物品固定手段を、載置する物品の角部対応位置に設けてなることを特徴とする物品運搬装置。
【請求項３】
請求項１または２の物品運搬装置において、上記物品固定手段の少なくとも載置する物品と接する面にゴム材やフェルト等のクッション部材を配してなることを特徴とする物品運搬装置。
【発明の詳細な説明】
【０００１】
【発明の属する技術分野】
本発明は、物品載置台に複数の支柱を着脱可能に取り付けて構成する物品運搬装置に関する。
【０００２】
【従来の技術】
電気製品等の工業製品、各種部品、建築材料等の各種材料、家具、天然物、その他の各種物品を運搬し、あるいはこれらを保管したりするために用いる物品運搬装置として、物品載置台に複数の支柱を着脱可能に取り付けて構成したものが従来周知である。このような物品運搬装置では、物品載置台上に直接または他の部材を介して間接に物品を載せるとともに、載置した物品のまわりを取り囲んだ状態で、複数の支柱を物品載置台に取り付け、その状態で物品運搬装置ごと運搬、保管する。
【０００３】
このような物品運搬装置を用いて物品を輸送し、輸送先で物品を物品載置台から降ろし、その後に物品運搬装置を元の場所に輸送して回収するような場合、支柱を物品載置台から外すことができるので、これらを小さく折り畳んだ状態にして効率よく運搬することができ、便利である。使用しない時の保管時も同様である。
【０００４】
ところが、物品載置台上に物品を載せて運搬するとき、物品と支柱との間に大きな隙間があると、運搬時に加えられる衝撃力等によって物品が振動してダメージを受けるおそれがある。そこで、物品と支柱との間に緩衝体を配置し、緩衝体を介して支柱により物品を保持するようにすることが広く行われている。
【０００５】
ところがダンボール紙等を緩衝体として物品と支柱との間に外れないように詰め込むのは容易ではなく、詰め込み作業が厄介であり、輸送後にダンボール紙を廃棄するために多量の廃棄物が発生するという問題もある。
【０００６】
そこで物品載置台上に、搭載する物品の大きさに合わせて固定部材を設ける技術が提案されている（例えば特許文献１参照）。
【０００７】
図１ないし図５は、特許文献１が開示する従来の物品運搬装置を示す。図示の物品運搬装置１は、物品２を直接または他の部材を介して間接に載置する物品載置台３と、物品載置台３に着脱可能に取り付ける４本の支柱４と、支柱４の上部に着脱可能に取り付ける上蓋５とを有している。なお図では物品２の一例として複写機を示してある。
【０００８】
物品載置台３は、一対の脚部６と、それらの間に一体形成した載置板７とを有し、両脚部６を床面等の設置面上に載置する。設置面と載置板７との間には、荷役装置、例えばフォークリフトのフォーク８を差し入れることができる隙間Ｇを形成する。このような物品載置台３は、例えば硬質樹脂の成形品で形成することが多いが、金属、木材、これらの複合材料等の高剛性材料により構成することもある。
【０００９】
この物品運搬装置１を用いて物品２を運搬、保管等するには、図２に示すように、載置板７の上面に物品保持部材９を介して物品２を載せ、次いで物品載置台３上の物品２を取り囲む状態に４本の支柱４の下部を物品載置台３の四隅に取り付ける。支柱４は、木材や金属等の材料により構成することができるが、図３に示すように、硬質樹脂や金属の中空押し出し成形品で、壁部の内部にも多数の中空部を画成した横断面形状が略Ｌ字形となるものを用いている。
【００１０】
物品載置台３の四隅には、各支柱４の下部を嵌合させる取付溝１２が形成してあり、図示のように各取付溝１２にそれぞれ支柱４の下部を嵌合させ、支柱４を物品載置台３に対して容易かつ正確に位置決め、取り付けできるようになっている。
【００１１】
また物品載置台３は、取付溝１２を形成した部分から上方へ突出するようにピン１３を有しており、支柱４に形成したピン取付穴１４の下部がピン１３にそれぞれ嵌合するようになっている。
【００１２】
上述のように複数の支柱４を物品載置台３に取り付けた後、支柱４の上部に図４に示すように上蓋５を取り付ける。これにより物品２は、上蓋５と物品載置台３と複数の支柱４とによって取り囲まれた状態で物品運搬装置１に収納される。この状態で物品２を運搬、保管等する。
【００１３】
このような物品運搬装置１だけを搬送するときは、物品載置台３から支柱４を取り外し、２本ずつ図５に示すように中空柱を構成するように組み合わせ、コンパクトにした状態とすることができる。すなわち４本の支柱４が全て同一の横断面形状を有し、かつ同一のサイズに形成してあり、一の支柱４の凸部１５を他の支柱４の凹部１６に嵌まり込ませることができるためである。
【００１４】
さらに図６に示すように、物品載置台３へ取り付けた際に内側となる支柱４の面に緩衝体１９を配し、物品２を緩衝体１９を介して支柱４によって保持し、物品２の振動発生を抑えるように構成してある。
【００１５】
【特許文献１】
特開２００１−３１５７７７号公報
【００１６】
【発明が解決しようとする課題】
しかしながら上記従来の物品運搬装置では、物品載置台３に対する支柱４の取り付け位置が固定であるため、搭載する物品２の大きさ、外形状等に合わせて緩衝体１９等の固定部材を新たに作る必要があり、その分コストが上昇し、作成や物品載置台３への取り付けの手間も掛かるという問題があった。
【００１７】
そこで本発明は、このような従来の問題点にかんがみ、搭載する物品の大きさ、外形状等に対応させて物品載置台への支柱の取り付け位置を可変とし、コストダウン、取り付けなどの作業量の削減を図れる物品運搬装置を提供することを目的とする。
【００１８】
【課題を解決するための手段】
本発明の請求項１に係る物品運搬装置は、上記目的を達成するために、物品載置台と、該物品載置台に着脱可能に取り付ける複数の支柱とを有する物品運搬装置において、上記物品載置台の面上に設ける物品固定手段が、上記物品載置台の面上に固設するガイドと、該ガイドにスライド自在に嵌合させる固定部材とからなることを特徴とする。
【００１９】
同請求項２に係るものは、上記目的を達成するために、請求項１の物品運搬装置において、上記物品固定手段を、載置する物品の角部対応位置に設けてなることを特徴とする。
【００２０】
同請求項３に係るものは、上記目的を達成するために、請求項１または２の物品運搬装置において、上記物品固定手段の少なくとも載置する物品と接する面にゴム材やフェルト等のクッション部材を配してなることを特徴とする。
【００２１】
【発明の実施の形態】
以下本発明の実施の形態を図面を参照して説明する。なお以下では従来と共通する部分には共通する符号を付すにとどめ重複する説明は省略する。
図７は本発明に係る物品運搬装置の一実施形態の物品載置台を示す斜視図（Ａ）及び断面図（Ｂ）である。なお本実施形態を構成する支柱や上蓋等は、上記図示した従来の例と同様であるので、図示及び説明を省略する。
【００２２】
本実施形態の載置板１０は、従来の例と同様、上面四隅に取付溝１２を平面Ｌ字形状に形成したものであるが、取付溝１２の内側にそのＬ字形状の一縁に沿うように、断面形状が略Ｔ字でレール状の取付部材２０を載置板１０上へ突出させて設けてあり、この取付部材２０に対して固定部材２１をスライド可能に嵌合させるようになっている。
【００２３】
固定部材２１は、取付部材２０と直接に嵌合させる下スライド部材２２と、この下スライド部材２２に対して嵌合させる上スライド部材２３とからなる。
【００２４】
下スライド部材２２は、取付部材２０の上部に対して嵌合させる下方が開口した断面Ｃ字状の溝２４を備える嵌合部２５と、その上側に位置し、上スライド部材２３を嵌合させる略Ｔ字でレール状のガイド部２６から構成してある。ガイド部２６は、嵌合部２５の溝２４の方向に対して直交する側へ張り出すように形成してあり、嵌合部２５外へ張り出す部分２７の下端面を載置板１０の上面に当接させ、下スライド部材２２を載置板１０上で安定的にスライドさせ得るようになっている。
【００２５】
上スライド部材２３は、略Ｌ字状の平面形状と矩形の断面形状を有する中空筒状の部材で、図示の例では長さの短い短管部２８と長い長管部２９とからなり、長管部２９の長手方向に沿わせて溝３０が形成してある。溝３０は、短管部２８の外側面に開口しており、下スライド部材２２のガイド部２６にスライド可能に嵌合させ得るようになっている。
【００２６】
次に本実施形態の載置板１０を使用する態様について説明する。ただし使用形態も既述の従来の例とほぼ同様であるので、異なる点について説明する。
まず物品載置前に、載置板１０上の取付部材２０上部に対して下スライド部材２２の溝２４を嵌合させて下スライド部材２２を装着し、ついで下スライド部材２２のガイド部２６に対して上スライド部材２３の溝開口３０を嵌合させて上スライド部材２３を装着し、固定部材２１全体として載置板１０上にセットしておく。
【００２７】
上記の状態で載置板１０上に搭載する物品（図示せず）、より具体的には物品の底面部分に対して、四つの固定部材２１の内側面が形成する矩形の物品搭載部位Ａ（図８）がぴったりと対応していれば、該部位Ａ上に物品を載せ、支柱や上蓋等を装着すればよい。
【００２８】
一方、上記の状態で搭載する物品に対して物品搭載部位Ａが対応していなければ、図８に示すように固定部材２１を載置板１０の側縁に沿ってスライドさせて搭載物品に対応させ、その後に支柱や上蓋等を装着することになる。
【００２９】
この搭載状態の調整のためには、予め一つあるいは二つの固定部材２１を物品を設置しやすいように設置基準としてセットし、その状態で物品を設置基準とする固定部材２１に合わせ積載し、物品搭載後に残りの固定部材２１をスライドさせて物品のコーナー部分に合わせればよい。具体的には上スライド部材２３を溝３０の軸線方向へ移動させれば短管部２８を物品の側面に当接等させることができ、溝３０の軸線と直交方向へ移動させれば（このときは下スライド部材２２も同時に移動する）、長管部２９を物品の側面に当接等させることができる。すなわち、Ｘ−Ｙ方向で固定部材２１を適宜スライドさせるだけで搭載する物品の大きさに合わせてセットできる。また固定部材２１を搭載物品のコーナー部分に当てることで、輸送中の振動、衝撃、荷扱いによる物品の移動防止ができる。
【００３０】
図９は、固定部材２１を構成する上スライド部材２３の他の例を示す斜視図である。この例の固定部材２１は、物品へのこすれ等による傷等の防止のための加傷防止部材３１を取り付ける凹部３２が内側面に数個所に設けてある。
【００３１】
加傷防止部材３１は、取り付け用のベース部材３３と、ゴム材やフェルト等からなるクッション材３４とから構成してある。クッション材３４の弾性により、衝撃を吸収する必要がある脆弱な物品や、固定部材２１と当接する外装が傷つきやすい物品を傷付けることが防止できる。なお加傷防止部材３１を副数種類用意しておくか、ベース部材３３に対してクッション材３４を着脱可能とすることで、物品の外装に応じてクッション材３４の材質を柔軟に選択でき、運搬する物品の品種の違いに対応できる。
【００３２】
【発明の効果】
請求項１に係る物品運搬装置は、以上説明してきたように、汎用性のある物品運搬装置として利用でき、異なる大きさや形状から成る機種の物品を扱うメーカであれば、各種物品の包装形態を同一構成の物品運搬装置で輸送や取り扱いができ、作業効率がアップする。また、循環型の包装を再使用する上でも機種の生産量の違いによる物品運搬装置の台数管理の複雑さが緩和される。
【００３３】
請求項２に係る物品運搬装置は、以上説明してきたように、特に側面からの衝撃に対して物品下部を固定して移動防止を図ることで、余分な物品への衝撃を加えないで済み、損傷防止を図れる。また倉庫保管時の効率上、段積みは常識であるが、数段積み上げた場合の揺れ等に対しても固定手段で物品を極力押さえて揺れを少なくできる。
【００３４】
請求項３に係る物品運搬装置は、以上説明してきたように、物品の構造上や外装等の強度の差に対応でき、固定手段に設けるクッション性のある別部材を設けることで物品を傷付けることを極力抑えて汎用性のある物品搭載への対応ができる。
【図面の簡単な説明】
【図１】従来の物品運搬装置の物品載置台上に物品を搭載した状態を示す斜視図である。
【図２】同物品載置台に４本の支柱を取り付ける状態を示す斜視図である。
【図３】同支柱の拡大平面図である。
【図４】同支柱の上部に上蓋を取り付ける状態を示す斜視図である。
【図５】同２本の支柱を平行に隣り合せて連結して支柱束を構成した状態を示す斜視図である。
【図６】同緩衝体を支柱に取り付けた状態を示す斜視図である。
【図７】本発明に係る物品運搬装置の一実施形態の物品載置台を示す斜視図（Ａ）及び断面図（Ｂ）である。
【図８】同固定部材を移動させる状態を示す斜視図である。
【図９】同固定部材をなす上スライド部材の他の例を示す斜視図である。
【符号の説明】
１　物品運搬装置
２　物品
３　物品載置台
４　支柱
５　上蓋
６　脚部
７　載置板
８　フォークリフトのフォーク
９　物品保持部材
１０　載置板
１２　取付溝
１３　ピン
１４　ピン取付穴
１５　支柱の凸部
１６　同凹部
１９　緩衝体
２０　取付部材
２１　固定部材
２２　下スライド部材
２３　上スライド部材
２４　溝
２５　嵌合部
２６　ガイド部
２８　短管部
２９　長管部
３０　溝
３１　加傷防止部材
３２　凹部
３３　ベース部材
３４　クッション材
Ａ　物品搭載部位
Ｇ　隙間
【図１】
2004142783.tif 000003
【図２】
2004142783.tif 000004
【図３】
2004142783.tif 000005
【図４】
2004142783.tif 000006
【図５】
2004142783.tif 000007
【図６】
2004142783.tif 000008
【図７】
2004142783.tif 000009
【図８】
2004142783.tif 000010
【図９】
2004142783.tif 000011